(57)【特許請求の範囲】
【請求項１】
基体と表装体との２体構成であり、
該基体は取付部と、この取付部の下端に連設された結合部とからなり、この結合部は前下方に傾斜した２枚の支持板を有し、
該表装体は、結合部と、この結合部の前端に連設された前垂れ部とからなり、この結合部は上下の２枚板構成であり、
前記基体の２枚の支持板と、前記表装体の２枚の板とは、嵌り合って結合し、挟み付けられて支持されるようになっており、
前記基体と表装体との結合固定位置は選択可能で、外装板の取付位置に合わせて、表装体の固定位置を調節できる建物用水切り材。
【請求項２】
基体と表装体との結合部に、複数の位置で結合固定可能な係止爪が設けられている請求項１記載の建物用水切り材。
【請求項３】
基体に、通気壁の間隙に合致した、防虫通気孔付き突壁が設けられている請求項１記載の建物用水切り材。
【請求項４】
突壁が基体に対して着脱自在である請求項３記載の建物用水切り材。
【請求項５】
基体に、床下通気間隙に位置させる、通気孔付き防鼠板が設けられている請求項１記載の建物用水切り材。
【請求項６】
防鼠板が基体に対して、着脱自在である請求項５記載の建物用水切り材。
【発明の詳細な説明】
【０００１】
【発明の属する技術分野】
この発明は、建物の外装板の下端などに取付ける水切り材に関する。
【０００２】
【従来の技術】
外装板の壁面を伝って流れてきた雨水を、外方に導いて落下させる為の水切り材は、従来から種々の形状のものが提案実施されている。一般的な形状は、取付部と、雨水案内用の傾斜部と、前垂れ部とが連設された形である。しかし、この水切り材では傾斜部の長さが固定である為、例えば、外装板の厚さが変わった場合や、壁面通気工法の採用により外装板の位置が外方に移動した場合などに、水切り材が適合しなくなるという問題がある。また、このような点を解消する為、実開平６−５６２２２号には、ジャバラ状の伸縮部を設けて、傾斜部の位置を自由に変えうるようにした水切り材も提案されている。
【０００３】
【発明が解決しようとする課題】
ところが、前記のジャバラ状伸縮部を持ったものは、工作が難しくて、製造コストが高くなる他、部材が一体で、且つ、変形部を有する為、施工現場での取扱いに難があると共に、施工中に水切り材の表面などに傷が付いた時には対応性がないという欠点がある。
【０００４】
本発明は、このような点に鑑み、外装板の取付位置に合わせて、簡単に傾斜部の位置調節ができ、また、外面などに傷が付いたような時には、表装部のみを取替え可能な水切り材を提供するにある。
【０００５】
【課題を解決するための手段】
本発明の水切り材の技術的手段は、基体と表装体との２体構成であり、該基体は取付部と、この取付部の下端に連設された結合部とからなり、この結合部は前下方に傾斜した２枚の支持板を有し、該表装体は、結合部と、この結合部の前端に連設された前垂れ部とからなり、この結合部は上下の２枚板構成であり、前記基体の２枚の支持板と、前記表装体の２枚の板とは、嵌り合って結合し、挟み付けられて支持されるようになっており、前記基体と表装体との結合固定位置は選択可能で、外装板の取付位置に合わせて、表装体の固定位置を調節できることにある。
【０００６】
また、基体と表装体との結合部に、複数の位置で結合可能な係止爪を設けるのがよい。更に、基体に、通気壁の間隙に合致する、防虫通気孔付き突壁を一体的に、或いは着脱自在に設けてもよい。また、基体に、床下通気間隙に位置させる、通気孔付き防鼠板を一体的に、或いは着脱自在に設けてもよい。
【０００７】
【発明の実施の形態】
本発明の水切り材の実施の形態を、図面の実施例に基づいて説明する。図１には、第１実施例の水切り材１０の取付使用状態が示されている。１は布基礎、２は土台、３は基礎パッキンである。基礎パッキン３は布基礎１と土台２との間の適所に設けられ、基礎パッキン３の無い所が床下換気用の通気間隙４となる。５は外装板で、その下端に水切り材１０が取付けられる。
【０００８】
本発明の水切り材１０は、図２に示されるように、基体１１と表装体１２との２体構成であり、通常は合成樹脂で作られる。基体１１は、建物の土台２に釘止めなどによって固定される取付部１３と、この下端に連設された結合部１４とからなる。結合部１４は挟み付けて支持できるように、２枚の支持板１５、１６で構成され、かつ、支持板の表面には抜け止めの為に凹凸などの係止爪１７、１８が複数個、適当な間隔で設けられている。
【０００９】
表装体１２は、結合部２０と、その前端に連設された前垂れ部２１とからなる。結合部２０は２枚板構成で、その上面の板は、結合時に最上面に位置するようになり、雨水案内用傾斜板２２となる。この傾斜板２２の先端には係止爪２３が設けられていて、この爪２３は前記係止爪１７と選択的に係合する。結合部２０の下面の板は支持板２４で、基体の方の２枚の支持板１５、１６の間に嵌り込む。支持部２４には係止爪２５が設けられていて、この爪２５は基体の方の係止爪１８と選択的に係合する。
【００１０】
従って、本発明の水切り材は、先ず、基体１１のみを土台２に取付け、表装体１２は建築工事の最終段階で取付けるようにする。これにより、工事中に表装体１２が傷付くのを防止できる。表装体１２の取付位置は変えることができ、図示例では３段階に調節可能で、図１に示されるように外装板５の位置に合わせて、係止爪の結合位置を変えて、表装体１２の張り出し状態を調節できる。
【００１１】
図３には、第２実施例が示されている。この実施例では、係止爪１７、２３が鉤形になっているので、結合時の固定力が大きい。なお、係止爪１７、２３や１８、２５の形状については、図示例に限定されず、自由に定めることができる。
【００１２】
図４には、第３実施例が示されている。この実施例は、通気壁工法用で、取付部１３に、壁の通気間隙に合致した突壁３０が形成されている。また、この突壁３０には、虫が侵入できないような小さな通気孔３１が多数設けられている。図５の第４実施例は、この突壁３０を、抜差し形式で着脱自在にしたもので、製造や施工の際に便利である。
【００１３】
図６には第５実施例が示されている。この実施例は防鼠板３２を設けたものであり、基体１１の支持板１６に防鼠板３２が一体に形成されている。この防鼠板３２には鼠が通過できない大きさの通気孔３３が多数形成されている。従って、これを用いれば、床下への換気を確保でき、かつ、床下への鼠の侵入を防止できる。図７の第６実施例は、防鼠板３２を抜差し形成で着脱自在にしたものであり、製造や、施工の際に便利である。
【００１４】
本発明は、前記の実施例に限定されるものではなく、特許請求の範囲の記載の範囲内で自由に変形実施可能である。特に、結合部の構造や、係止爪の形状は自由である。
【００１５】
【発明の効果】
本発明の水切り材は、基体と表装体との２体構成であるから、基体のみを先に取付けておき、表装体は工事の最終段階で取付けることができ、工事中に表装体が傷付くのを防止でき、また、表装体が損傷した場合には、簡単に取替えできる。また、結合位置を変えることにより表装体の位置調節ができるので、外装板の位置に左右されず、どのような形式の壁にも対応できて、実用上、非常に便利である。
【００１６】
請求項２のものは、係止爪で結合固定を図るので、表装体の取付け、位置決め、及び固定を簡単かつ確実に行うことができる。
【００１７】
請求項３のものは、突出壁が付いているので、通気壁工法の建築施工に便利であり、かつ、壁内への虫の侵入を防止できる。
【００１８】
請求項４のものは、突壁が着脱自在であるから、製造時や施工時に都合が良く、通常壁工法にも対応可能である。
【００１９】
請求項５のものは、防鼠板が付いているので、床下換気を損なうことなく、床下への鼠の侵入を防止できる。
【００２０】
請求項６のものは、防鼠板が着脱自在であるから、製造時や施工時に都合がよい。
【図面の簡単な説明】
【図１】第１実施例の使用状態の断面図。
【図２】分離状態の断面図。
【図３】第２実施例の断面図。
【図４】第３実施例の使用状態の断面図。
【図５】第４実施例の使用状態の断面図。
【図６】第５実施例の使用状態の断面図。
【図７】第６実施例の使用状態の断面図。
【符号の説明】
１０        水切り材
１１        基体
１２        表装体
１３        取付部
１４        結合部
１５、１６  支持板
１７、１８  係止爪
２０        結合部
２１        前垂れ部
２２        雨水案内用傾斜板
２３、２５  係止爪
２４        支持板
【図１】
0003779546.tif 000002
【図２】
0003779546.tif 000003
【図３】
0003779546.tif 000004
【図４】
0003779546.tif 000005
【図５】
0003779546.tif 000006
【図６】
0003779546.tif 000007
【図７】
0003779546.tif 000008